(57)【要約】【課題】洗浄剤を含む流体を浄化するためのモジュールの使用方法を提供することである。【解決手段】流体浄化システムの少なくとも一部を洗浄する方法であって、ａ）使い捨て式の前処理モジュールを前記流体浄化システムに接続すること、ｂ）その後、接線濾過による洗浄を含む洗浄処理により流体浄化システムの洗浄を開始すること、を含む方法が提供される。【選択図】図１
2014004585.tif 000002
【特許請求の範囲】
【請求項１】
流体浄化用の使い捨て式の前処理モジュールであって、
ａ）流体浄化手段と、
ｂ）前記前処理モジュールより下流側の浄化システムに前処理モジュールを取り外し可能に接続するための手段と、
ｃ）洗浄剤を予め収容し且つ前記流体浄化手段を収容する筺体と、
を含み、
前記洗浄剤が、筺体内を循環させられる流体の単一の流路内に配置され、流体と接触することにより溶解して前記浄化システムの少なくとも一部を洗浄する使い捨て式の前処理モジュール。
【請求項２】
前記筺体が分解されない請求項１に記載の使い捨て式の前処理モジュール。
【請求項３】
前記洗浄剤が、処理される流体のための、筺体に形成された入口と浄化手段との間、または浄化手段と筐体に形成された、浄化された流体の出口との間に配置される請求項１に記載の使い捨て式の前処理モジュール。
【請求項４】
前記洗浄剤が、筐体の高くなった部分のへこみ部に収容される請求項１に記載の使い捨て式の前処理モジュール。
【請求項５】
前記洗浄剤が、保持手段内に収容される請求項１に記載の使い捨て式の前処理モジュール。
【請求項６】
保持手段がケージである請求項５に記載の使い捨て式の前処理モジュール。
【請求項７】
前記流体浄化手段が、逆浸透、ナノ濾過、限外濾過、及び微細濾過の何れかを用いる接線濾過浄化手段を含む請求項１に記載の使い捨て式の前処理モジュール。
【請求項８】
前記流体浄化手段が、イオン交換活性化支持体またはイオン交換活性化樹脂、活性炭、塩素中和剤、予備濾過部材、スケール防止剤、及びそれらの組合せを含む群から選択される請求項１に記載の使い捨て式の前処理モジュール。
【請求項９】
前記塩素中和剤が銅−亜鉛配合物等の合金である請求項８に記載の使い捨て式の前処理モジュール。
【請求項１０】
前記スケール防止剤がポリ燐酸塩である請求項８に記載の使い捨て式の前処理モジュール。
【請求項１１】
前記洗浄剤が、バイオフィルムを破壊するための、殺菌薬効果を有する、または、有機体及びまたは鉱質土壌を排除するための、化学化合物または化学化合物の集合体を含む請求項１に記載の使い捨て式の前処理モジュール。
【請求項１２】
前記洗浄剤が、液体、粉末、結晶、微粒、タブレット、カプセルのコーティングやサッシェである請求項１に記載の使い捨て式の前処理モジュール。
【請求項１３】
前記洗浄剤が、塩素で処理された生成物、有機的に塩素で処理された生成物、酸化剤生成物、酸、塩基、または殺菌性溶液、から成る群から選択される請求項１に記載の使い捨て式の前処理モジュール。
【請求項１４】
前記筐体が、流体浄化システムによる前処理モジュール識別のための手段を含む請求項１に記載の使い捨て式の前処理モジュール。
【請求項１５】
請求項１に記載の前処理モジュールを少なくとも１つ備える、流体浄化システム。
【発明の詳細な説明】
【技術分野】
【０００１】
本発明は、特に水等の流体を浄化するために少なくとも１つのモジュールが接続されている、流体を浄化するためのシステムを洗浄することに関する。
【０００２】
詳細に述べると、本発明は活性炭及びポリ燐酸塩等による流体の浄化前処理を実施するための手段、または前方浄化部材と、システムで直列に配置された１つまたは複数の、逆浸透または限外濾過用カートリッジ等の、接線濾過による流体の浄化処理を実施するための手段とを組み合せるシステムの使用方法に関する。
【背景技術】
【０００３】
これらのシステムの正確な動作を保証するために、特に接線濾過を利用する浄化手段の部品を定期的に洗浄すること、及び、特に殺菌することが必要である。
【０００４】
１つの従来技術において、画面に表示されるメッセージを使用することにより、システムは定期的に、流体が通過するパイプと伝達するシステムのオリフィス、または再利用可能な浄化モジュール、すなわち、例えば、逆浸透カートリッジ等の定期的に交換されるモジュールの浄化手段を収容するためのレセプタクル（または、容器）に形成されたオリフィスを介してシステム中に洗浄剤を導入することをユーザーに促す。
【０００５】
このような例において、ユーザーは、例えば、それらの焼灼性、刺激性、有毒性等の性質により人体に対して有害なソーダまたは塩素を含むタブレット等の洗浄用の生成物を扱うことを強いられる。
【０００６】
特許文献１に記載された、もう１つの従来技術のシステムは洗浄サイクル中に、１つまたは複数の逆浸透モジュールに浄化すべき水を供給するための再循環パイプ中に酸性または塩基性の溶液を自動的に注入する装置を備える。
【先行技術文献】
【特許文献】
【０００７】
【特許文献１】米国特許６０７４５５１号明細書
【特許文献２】欧州特許出願番号ＥＰ−Ａ−０８１８２２８
【発明の概要】
【発明が解決しようとする課題】
【０００８】
解決しようとする課題は、洗浄剤を含む流体を浄化するためのモジュールの使用方法を提供することである。
【課題を解決するための手段】
【０００９】
詳細に述べると、本発明の第１の側面は、流体浄化システムの一部を形成するように構成された、特に水である流体を浄化するための使い捨て式のモジュールであって、流体浄化手段、前記流体浄化手段を収容する筐体、及び浄化システムと浄化モジュールの間の流体連通を確立するために前記浄化モジュールを前記浄化システムに取り外し可能に接続するための手段を備え、前記筐体が最初に（または、予め）、浄化システムの少なくとも一部を洗浄するために前記筐体内を循環させられる流体と接触するように配置された洗浄剤を収容することを特徴とするモジュールである。
【００１０】
換言すると、本発明は流体浄化システムの少なくとも一部を洗浄するために洗浄剤を浄化システム内に導入するため、使い捨て式のモジュールの使用、及び、それらの定期的な交換を利用する。
【００１１】
結果として、流体浄化システムは単純な手段の適用によって洗浄され、それのコストが最小に抑えられる。
【００１２】
さらに、ユーザーに供給されるモジュールは既に洗浄剤を含んでいるので、浄化処理は安全に実施される。
【００１３】
この結果、モジュールは流体を浄化するだけではなく、モジュール自体の少なくとも一部、及び（または）流体浄化システムの残りの部分の少なくとも一部に洗浄剤を分配する。
【００１４】
好ましい実施例に従うと、本発明の特徴は以下の特徴を含む。
・筐体は分解される必要がない。
・洗浄剤は筐体内に形成された、処理される流体のための入口と浄化手段との間、または浄化手段と筐体に形成された、浄化された流体の出口との間に配置される。
・洗浄剤はこの目的のために筐体内に作製された空間、特に、筐体の高くなった部分（または、突起部分）のへこみ部に収容される。
・前記空間は好ましくはケージ（または、カゴ）の形式、特に、追加されたケージの形式である、洗浄剤を保持するための保持手段によって範囲を定められる。
・筐体は接線濾過浄化手段、特に、逆浸透、ナノ濾過（または、超微細濾過）、限外濾過、または微細濾過を利用する浄化手段を収容する。
・筐体は接線濾過浄化処理手段を備える浄化処理手段の上流の流体浄化前処理手段を収容し、洗浄剤は前処理手段と浄化処理手段との間、または浄化処理手段と筐体に形成された、浄化された流体の出口との間に配置される。
・前処理手段はイオン交換活性化支持体または樹脂、活性炭、塩素中和剤、特に、銅−亜鉛配合物等の合金（特に、FLUID TREATMENT INC.から入手可能なKDF）、予備濾過部材、スケール防止剤、特に、ポリ燐酸塩、及びそれらの組合せを含む群から選択される。
・洗浄剤はバイオフィルム（biofilm）を破壊するための、及び（または）殺菌薬効果を有するための、及び（または）有機体及び（または）鉱質土壌を排除するための化学化合物または化学化合物の集合体を含む。
【００１５】
本発明は粉末、結晶、微粒、タブレット、コーティング等の多様な形態を取る洗浄剤、または流体との接触によって分裂または溶解するカプセルやサッシェ（または、小さい包み）の内容物、または、流体との接触によって分裂する封入物の内容物を構成する液体である洗浄剤の使用を可能にするという長所を有する。
【００１６】
洗浄剤は好ましくは、塩素で処理された生成物、有機的に塩素で処理された生成物、酸化剤生成物、酸、塩基、または殺菌性溶液である。
【００１７】
実際には、洗浄剤は好ましくは、漂白剤、クロラミン、塩素酸、次亜塩素酸、クエン酸、酒石酸、酢酸、過塩素酸、過酢酸、前述の酸の塩、水酸化ナトリウム、水酸化カリウム、過マンガン酸カリウム、重クロム酸カリウム、または過酸化水素及び過酢酸または銀塩を含む有機複合体を含む殺菌性溶液である。
【００１８】
さらに、本発明の構成は、流体浄化システムによってモジュールが認識されることを可能にする手段をケーシング（または、筐体）が備えることを可能にし、それによって、例えば、ユーザーがシステムの制御手段のキーを押すこと等によって浄化サイクルを手動で開始することを必要とせずに、流体浄化システムが自動的に浄化サイクルを開始することを可能にする。
【００１９】
本発明はまた、上述したように、少なくとも１つの流体浄化手段を含む流体を浄化するためのシステムを含む。
【００２０】
本発明はまた、浄化手段をケーシング（または、筐体）に取り付けることを含む、モジュールの製造方法であって、ケーシングを閉じる前に洗浄剤をケーシング内に配置することをさらに含むことを特徴とする製造方法を含む。
【００２１】
本発明はさらに、流体浄化システムの少なくとも一部を洗浄する方法であって、上述したように、使い捨て式の流体浄化モジュールを流体浄化システムに接続すること、及びその後にシステムの洗浄処理を開始することのステップを含み、そこにおいて、システムの認識手段によるモジュールの認識に続いて、前記洗浄処理が自動的に開始されることを特徴とする。
本発明の特徴及び長所は付随する図面への参照とともに、以下の説明を読むことにより明らかになるだろう。
【発明の効果】
【００２２】
洗浄剤を含む流体を浄化するためのモジュールの使用方法が提供される。
【図面の簡単な説明】
【００２３】
【図１】図１は本発明に従った流体浄化モジュールを使用する流体浄化システムの構成の概略図である。
【図２】図２は本発明の浄化モジュールのもう１つの装置例を示している。
【図３】図３は本発明の浄化モジュールのもう１つの装置例を示している。
【図４】図４は本発明の浄化モジュールのもう１つの装置例を示している。
【図５】図５は本発明の浄化モジュールのもう１つの装置例を示している。
【発明を実施するための形態】
【００２４】
図示された、本発明の方法で使用する、水を浄化するための水浄化システム１０は、この分野で周知な様式で、前処理モジュール１１、及び前処理モジュール１１の下流の逆浸透モジュール１２を含む。
逆浸透モジュール１２自体は本発明に直接関係しないので、その詳細は省略する。
【００２５】
図示された装置例において、逆浸透モジュール１２はDOW CHEMICALから入手可能なTW30モジュール等のタイプのものであってもよい。
【００２６】
実際には、この種の逆浸透モジュール１２において、浄化される水の流れはモジュールの薄膜に対して連続的であり、接線の関係を有するので、浄化される水は薄膜によって異なった濃度を有する以下の２つの部分に分離される。
・薄膜を通過する、浸透物として知られる部分；及び、
・薄膜を通過せず、保持物として知られる、薄膜によって保持されるイオン、分子、または粒子、特に、鉱物イオンを含む部分。
【００２７】
すなわち、上述の種類のシステム１０によって生成された水は非常に低いレベルの溶解した塩を有する（すなわち、超高純度の水である）。
【００２８】
図示された装置例において、浄化される水は例えば、飲料用の水の給水本管から流入し、入口パイプ１３等を通って前処理モジュール１１に供給される。前処理モジュール１１から排出される水は、そこで浄化前処理を実施された後に、供給パイプ１４を通って逆浸透モジュール１２に供給される。この内容はこの分野で周知である。
【００２９】
逆浸透モジュール１２の出口において、浸透物（すなわち、超純水）は排出パイプ１５を通って排出され、保持物（すなわち、除去された水）は保持物排出パイプ１６を通って水浄化システム１０の出口に排出される。
【００３０】
保持物排出パイプ１６は制限部１７、すなわち、水の流量を減少させ、保持物排出パイプ１６の出口の近辺の圧力降下を発生する部材を含む。この内容もこの分野で周知である。必要であれば、制限部１７はシャント弁１９を備えたバイパスパイプ１８の手段によってバイパスされてもよい。
【００３１】
図示された装置の場合、水浄化前処理モジュール１１は、この装置例において活性炭２１の粒子の形態を取る浄化前処理手段を収容する筐体２０、及び前処理手段２１と、逆浸透モジュール１２への供給パイプ１４が接続されたモジュールの出口２３との間に配置された洗浄剤２２を含む。
【００３２】
詳細に述べると、水浄化前処理モジュール１１は洗浄剤を収容する収容部（または、筐体）２４を含む。洗浄剤は出口から収容部２４内に配置されるので、洗浄剤はケーシング（または、筐体）２０内の水の流路に存在し、それによって、水との接触により溶解し、水浄化システム１０の水浄化前処理モジュール１１の下流側の部分全体、特に、逆浸透モジュール１２の全体を洗浄する。
【００３３】
これを達成するために、図示された装置例において、洗浄剤２２は塩素処理されたタブレットの形式を取り、それは前処理モジュール１１の下流、特に逆浸透モジュール１２において、この分野で周知のように、バクテリアを破壊し、それらの繁殖を防ぐ。すなわち、より一般的に言うと、洗浄剤は水浄化システム１０のこれらの部分を消毒するためのものである。
【００３４】
ここで、ケーシング（または、筐体）２０は、水浄化システム１０が前処理モジュール１１の水浄化システム１０の残りの部分への接続の後に自動的に洗浄サイクルを開始することを可能にするための、水浄化システム１０による前処理モジュール１１の認識のための手段を備えてもよい。
【００３５】
洗浄剤は、例えば、水浄化システムの他の装置例において、以下に説明されるような他の場所に配置されてもよい。
【００３６】
１）図２に示されているように、フィルターカートリッジ２５の下流には環状のフィルター材料のレイヤー２７によって囲まれた細かい穴が開けられた管２６が備えられており、その前方には、浄化モジュール３１の底部３０に形成された通路２９を介して流体の連通が可能な、この例において活性炭の粒子であるフィルター材料の密集（または、かたまり）２８が配置されている。フィルター材料２８の密集は分離部材３２によって保持され、図２に示されているように、浄化モジュール３１の円筒形のケーシング３５のカバー３４から供給される、浄化される流体のための入口３３と流体の連通状態にある。ここで、カバー３４はケーシング３５から外れないように、ケーシング３５に溶接または接着されている。
【００３７】
この装置例において塩素処理されたタブレットである洗浄剤タブレット３６は、洗浄剤のために筐体３５内に配置された、カートリッジ２５と、筐体３５のカバー３４に形成された、浄化された流体の出口３８との間の収容部３７に配置される。洗浄剤はフィルターカートリッジ２５の管２６の上端部と筐体３５のカバー３４との間に押しつけられた状態で配置される。
【００３８】
Ｏリング３９はフィルターカートリッジ２５の入口と出口の間の封止を与える。
【００３９】
２）図３及び４に示されている装置例において、図２に示されているモジュールと同様な浄化モジュール４０または４１は図２に示されている種類のカートリッジを１つだけ収容しており、図２に示されている洗浄剤と同様な洗浄剤タブレットが（i）モジュール４０内に存在する、浄化される水のための入口４３付近の自由空間４２（図３のタブレット４４）、または水の流路のさらに下流側（図３のタブレット４５、すなわち、カートリッジ４６の下端部とモジュール４０の筐体４８の下端部４７との間）、または（ii）カートリッジ５０の上端部とモジュール４１の筐体５２の、浄化された水の出口５１との間（図４のタブレット５３）の自由空間４９のどれかに配置される。
【００４０】
図３に示されている装置例において、単一のモジュールに複数のタブレットが配置されてもよいことは理解されなければならない。
【００４１】
さらに、図３及び４に示されている装置例において、タブレットが筐体の既存の構造上の部材によって（必要に応じて、洗浄剤を収容する部材によって）適所に配置されていることは注目すべきことである。
【００４２】
最後に、図５に示されている装置例において、タブレット５４は前処理手段５６から供給され、逆浸透カートリッジ５７に入る水の流れのための通路５５に配置される。洗浄剤は、浄化モジュール６０の筐体５９と共に一体的に成型された、洗浄剤のために作製された空間５８に配置される。この構成はコストの面で長所を有する。
【００４３】
他の装置例において、タブレットは筐体の直立部分に形成されたへこみ部で、筐体に追加された、または筐体から分離されたケージ（または、カゴ）に配置されてもよい。
【００４４】
ここで、図面において、浄化モジュールと浄化システムの一体化部分を形成し、モジュールと浄化システムとの間の水の連通状態を確立するためにモジュールを浄化システムに取り外し可能に接続するための手段が図示されていないことは理解されなければならない。それらの接続手段は、例えば、出願人の欧州特許出願番号ＥＰ−Ａ−０８１８２２８に開示されている種類の手段であってもよい。
【００４５】
上述した部分以外の全ての部分について、これらのモジュールは従来の構造であってもよく、したがって、それらの詳細はここに記載されていない。
【００４６】
図１〜５に示されているように、記載された筐体２０，３５，４８，５２，５９はいずれも、それらの製造後にそれらの内部に洗浄剤を導入するための開口部を有していない。
【００４７】
さらに、実際には、上述された全てのモジュールが流体浄化システムによるモジュールの認識のための手段を備えてもよく、それにより、例えば、モジュールのシステムへの接続及びシステムによる認識の後、洗浄サイクルが自動的に開始されてもよい。
【００４８】
最後に、塩素処理されたタブレットが上述された種類以外の多様な洗浄剤によって置き換えられてもよいことは理解されなければならない。また、図２〜５に示されている装置例で使用されている浄化処理及び前処理手段が他の多様な対応する手段によって置き換えられてもよいことは理解されなければならない。
【００４９】
さらに、本発明は上述され、図面に図示された装置例には限定されず、それらの多様な変形例を含む。
【符号の説明】
【００５０】
１０  水浄化システム
１１  前処理モジュール
１２  逆浸透モジュール
１３  入口パイプ
１４  供給パイプ
１５  排出パイプ
１６  保持物排出パイプ
１７  制限部
１８  バイパスパイプ
１９  シャント弁
２０  ケーシング（筐体）
２１  前処理手段（活性炭）
２２  洗浄剤
２３  出口
２４  収容部
２５  フィルターカートリッジ
２６  細かい穴の開いた管
２７  フィルター材料レイヤー
２８  フィルター材料
２９  通路
３０  底部
３１  浄化モジュール
３２  分離部材
３３  入口
３４  カバー
３５  ケーシング（筐体）
３６  洗浄剤タブレット
３７  収容部
３８  出口
３９  Ｏリング
４０，４１  浄化モジュール
４２  自由空間
４３  入口
４４，４５  タブレット
４６  フィルターカートリッジ
４７  下端部
４８  筐体
４９  自由空間
５０  フィルターカートリッジ
５１  出口
５２  筐体
５３，５４  タブレット
５５  通路
５６  前処理手段
５７  逆浸透カートリッジ
５８  洗浄剤用の空間
５９  筐体
６０  浄化モジュール
【図１】
2014004585.tif 000003
【図２】
2014004585.tif 000004
【図３】
2014004585.tif 000005
【図４】
2014004585.tif 000006
【図５】
2014004585.tif 000007